(57)【要約】【課題】移動通信端末を特定するための端末識別情報に関してセキュリティを向上した契約認証サーバ及びコンテンツ再生認証方法を提供することを目的とする。【解決手段】コンテンツ再生機器１０に格納されたコンテンツを再生する際、移動通信端末２０、契約認証サーバ４０を介して、ライセンス認証サーバ５０によってライセンス認証が行われる。契約認証サーバ４０からライセンス認証サーバ５０へライセンス認証要求信号を送信する際、契約認証サーバ４０とライセンス認証サーバ５０との間の通信路では、移動通信端末２０を特定する端末識別情報ではなく、契約認証サーバ４０を管理運用する通信事業者とライセンス認証サーバ５０を管理運用するコンテンツ管理事業者との間で決定されたユーザＩＤが送受信される。したがって、契約認証サーバ４０とライセンス認証サーバ５０との間の通信路で、端末識別情報がハッキングされない。【選択図】  図１
2005039429.tif 000002
【特許請求の範囲】
【請求項１】
コンテンツの再生時にコンテンツ再生機器から送信される該コンテンツを特定するためのコンテンツ識別情報を移動通信端末を介して該移動通信端末を特定するための端末識別情報と共に受信する受信手段と、
前記端末識別情報と、該端末識別情報とによって特定される前記移動通信端末のユーザを特定するためのユーザ識別情報と、コンテンツの再生契約の有無を特定するための契約情報とが対応付けられ格納された契約情報格納手段と、
前記受信手段によって受信された端末識別情報に対応付けられ前記契約情報格納手段に格納されている前記契約情報を読み出し、該読み出した契約情報によって特定される再生契約が有の場合に、該受信された端末識別情報に対応付けられ前記契約情報格納手段に格納されている前記ユーザ識別情報を抽出する契約認証手段と、
前記ユーザ識別情報と前記コンテンツ識別情報とに基づいて該ユーザ識別情報によって特定されるユーザが該コンテンツ識別情報によって特定されるコンテンツの再生に関するライセンスを有する場合に該コンテンツを復号するための復号キーと該ユーザ識別情報と該コンテンツ識別情報とを送信するライセンス認証サーバに、前記契約認証手段によって抽出された前記ユーザ識別情報と前記受信手段によって受信された前記コンテンツ識別情報とを送信する送信手段と、
前記ライセンス認証サーバによって送信される前記復号キーと前記ユーザ識別情報と前記コンテンツ識別情報とを受信し、該受信したユーザ識別情報に対応付けられ前記契約情報格納手段に格納されている前記端末識別情報によって特定される前記移動通信端末を介して、該受信したコンテンツ識別情報と復号キーとを前記コンテンツ再生機器に中継する中継手段と、
を備える契約認証サーバ。
【請求項２】
コンテンツ再生機器が、コンテンツの再生時に該コンテンツを特定するためのコンテンツ識別情報を送信するステップと、
移動通信端末が、前記コンテンツ再生機器によって送信された前記コンテンツ識別情報と、該移動通信端末を特定するための端末識別情報とを送信するステップと、
契約認証サーバの受信手段が、前記移動通信端末によって送信された前記コンテンツ識別情報と前記端末識別情報とを受信するステップと、
前記契約認証サーバの契約認証手段が、前記受信手段によって受信された前記端末識別情報に対応付けられ前記契約情報格納手段に格納されている前記契約情報を読み出し、該読み出した契約情報によって特定される再生契約が有の場合に、該受信された端末識別情報に対応づけられ前記契約情報格納手段に格納されている前記ユーザ識別情報を抽出する契約認証ステップと、
前記契約認証サーバの送信手段が、前記ユーザ識別情報と前記コンテンツ識別情報とに基づいて該ユーザ識別情報によって特定されるユーザが該コンテンツ識別情報によって特定されるコンテンツの再生に関するライセンスを有する場合に該コンテンツを復号するための復号キーと該ユーザ識別情報と該コンテンツ識別情報とを送信するライセンス認証サーバに、前記契約認証手段によって抽出された前記ユーザ識別情報と前記受信手段によって受信された前記コンテンツ識別情報とを送信するステップと、
前記ライセンス認証サーバが、前記契約認証サーバによって送信された前記ユーザ識別情報と前記コンテンツ識別情報とに基づいて、該ユーザ識別情報によって特定されるユーザが該コンテンツ識別情報によって特定されるコンテンツの再生に関するライセンスを有する場合に該コンテンツを復号するための複合キーと該ユーザ識別情報と該コンテンツ識別情報とを送信するステップと、
前記契約認証サーバの中継手段が、前記ライセンス認証サーバによって送信される前記復号キーと前記ユーザ識別情報と前記コンテンツ識別情報とを受信し、該受信したユーザ識別情報に対応付けられ前記契約情報格納手段に格納されている前記端末識別情報によって特定される前記移動通信端末を介して、該受信したコンテンツ識別情報と復号キーを前記コンテンツ再生機器に中継するステップとを備えるコンテンツ再生認証方法。
【発明の詳細な説明】
【０００１】
【発明の属する技術分野】
本発明は、コンテンツ再生機器によってコンテンツを再生する際に、ネットワークを介してライセンスの認証を行うコンテンツ再生認証システムにおける契約認証サーバ、及びコンテンツ再生認証方法に関するものである。
【０００２】
【従来の技術】
コンテンツ再生機器によるコンテンツの再生認証をネットワークを介して実行するコンテンツ再生認証システムが提案されている。このコンテンツ再生認証システムでは、コンテンツの再生時にコンテンツ再生機器によって送信されるコンテンツＩＤを、移動通信端末を介して、その移動通信端末を特定するための電話番号といった端末識別情報と共に契約認証サーバが受信する。契約認証サーバは、端末識別情報によって特定される移動通信端末のユーザが、コンテンツの再生契約を行っている場合に、コンテンツ管理サーバにコンテンツＩＤと端末識別情報とをライセンス管理サーバに送信する。ライセンス管理サーバは、端末識別情報によって特定される移送通信端末のユーザがコンテンツＩＤによって特定されるコンテンツの再生に関するライセンスを有している場合に、そのコンテンツを復号するための復号キーを、移動通信端末を介してコンテンツ再生機器に送信する。
【０００３】
【特許文献１】
特開２００３−３０１５７号公報
【０００４】
【発明が解決しようとする課題】
ところで、上述したコンテンツ再生認証システムにおいては、契約認証サーバは、通信事業者によって管理されており、ライセンス管理サーバは、コンテンツ再生に関するライセンスを管理している団体（以下、「コンテンツ管理事業者」という）によって管理されている。このコンテンツ再生認証システムでは、移動通信端末の端末識別情報が、通信事業者によって管理されている契約認証サーバから、通信事業者とは異なるコンテンツ管理事業者によって管理されているライセンス管理サーバに送信される。したがって、このコンテンツ再生認証システムでは、端末識別情報が契約認証サーバとライセンス管理サーバとの間の通信路においてハッキングされる可能性がある。
【０００５】
そこで本発明は、移動通信端末を特定するための端末識別情報に関してセキュリティを向上した契約認証サーバ及びコンテンツ再生認証方法を提供することを目的とする。
【０００６】
【課題を解決するための手段】
上記目的を達成するため、本発明の契約認証サーバは、（ａ）コンテンツの再生時にコンテンツ再生機器から送信される該コンテンツを特定するためのコンテンツ識別情報を移動通信端末を介して該移動通信端末を特定するための端末識別情報と共に受信する受信手段と、（ｂ）上記端末識別情報と、該端末識別情報とによって特定される上記移動通信端末のユーザを特定するためのユーザ識別情報と、コンテンツの再生契約の有無を特定するための契約情報とが対応付けられ格納された契約情報格納手段と、（ｃ）上記受信手段によって受信された端末識別情報に対応付けられ上記契約情報格納手段に格納されている上記契約情報を読み出し、該読み出した契約情報によって特定される再生契約が有の場合に、該受信された端末識別情報に対応付けられ上記契約情報格納手段に格納されている上記ユーザ識別情報を抽出する契約認証手段と、（ｄ）上記ユーザ識別情報と上記コンテンツ識別情報とに基づいて該ユーザ識別情報によって特定されるユーザが該コンテンツ識別情報によって特定されるコンテンツの再生に関するライセンスを有する場合に該コンテンツを復号するための復号キーと該ユーザ識別情報と該コンテンツ識別情報とを送信するライセンス認証サーバに、上記契約認証手段によって抽出された上記ユーザ識別情報と上記受信手段によって受信された上記コンテンツ識別情報とを送信する送信手段と、（ｅ）上記ライセンス認証サーバによって送信される上記復号キーと上記ユーザ識別情報と上記コンテンツ識別情報とを受信し、該受信したユーザ識別情報に対応付けられ上記契約情報格納手段に格納されている上記端末識別情報によって特定される上記移動通信端末を介して、該受信したコンテンツ識別情報と復号キーを上記コンテンツ再生機器に中継する中継手段とを備える。
【０００７】
また、上記目的を達成するため、本発明のコンテンツ再生認証方法は、（ａ）コンテンツ再生機器が、コンテンツの再生時に該コンテンツを特定するためのコンテンツ識別情報を送信するステップと、（ｂ）移動通信端末が、上記コンテンツ再生機器によって送信された上記コンテンツ識別情報と、該移動通信端末を特定するための端末識別情報とを送信するステップと、（ｃ）契約認証サーバの受信手段が、上記移動通信端末によって送信された上記コンテンツ識別情報と上記端末識別情報とを受信するステップと、（ｄ）上記契約認証サーバの契約認証手段が、上記受信手段によって受信された上記端末識別情報に対応付けられ上記契約情報格納手段に格納されている上記契約情報を読み出し、該読み出した契約情報によって特定される再生契約が有の場合に、該受信された端末識別情報に対応づけられ上記契約情報格納手段に格納されている上記ユーザ識別情報を抽出する契約認証ステップと、（ｅ）上記契約認証サーバの送信手段が、上記ユーザ識別情報と上記コンテンツ識別情報とに基づいて該ユーザ識別情報によって特定されるユーザが該コンテンツ識別情報によって特定されるコンテンツの再生に関するライセンスを有する場合に該コンテンツを復号するための復号キーと該ユーザ識別情報と該コンテンツ識別情報とを送信するライセンス認証サーバに、上記契約認証手段によって抽出された上記ユーザ識別情報と上記受信手段によって受信された上記コンテンツ識別情報とを送信する送信手段と、（ｆ）上記ライセンス認証サーバが、上記契約認証サーバによって送信された上記ユーザ識別情報と上記コンテンツ識別情報とに基づいて、該ユーザ識別情報によって特定されるユーザが該コンテンツ識別情報によって特定されるコンテンツの再生に関するライセンスを有する場合に該コンテンツを復号するための複合キーと該ユーザ識別情報と該コンテンツ識別情報とを送信するステップと、（ｇ）上記契約認証サーバの中継手段が、上記ライセンス認証サーバによって送信される上記復号キーと上記ユーザ識別情報と上記コンテンツ識別情報とを受信し、該受信したユーザ識別情報に対応付けられ上記契約情報格納手段に格納されている上記端末識別情報によって特定される上記移動通信端末を介して、該受信したコンテンツ識別情報と復号キーを上記コンテンツ再生機器に中継するステップとを備える。
【０００８】
これらの発明によれば、契約認証サーバは、移動通信端末の端末識別情報からユーザ識別情報を抽出し、そのユーザ識別情報と共にコンテンツ識別情報とをライセンス認証サーバに送信する。したがって、契約認証サーバとライセンス認証サーバとの間のネットワークにおいて、端末識別情報がハッキングされることがないので、端末識別情報に関してセキュリティが向上されている。
【０００９】
【発明の実施の形態】
以下、図面を参照して、本発明の好適な実施形態について説明する。図１は、本実施形態のコンテンツ再生認証システム１の構成を概略的に示す図である。このコンテンツ再生認証システム１には、図１に示すように、複数のコンテンツ再生機器１０（図１では、１つのみを図示）、移動通信端末２０、契約認証サーバ４０、及びライセンス認証サーバ５０が含まれる。コンテンツ再生機器１０と移動通信端末２０との間では、例えば無線ＬＡＮによって通信が行われる。移動通信端末２０、契約認証サーバ４０、及びライセンス認証サーバ５０の間では、ネットワーク３０を介して通信が行われる。
【００１０】
このコンテンツ再生認証システム１において、コンテンツ再生機器１０及び移動通信端末２０はユーザの所有物である。コンテンツ再生機器１０としては、カーオーディオ、ホームオーディオ、パーソナルコンピュータ、テレビ等が例示される。
【００１１】
移動通信端末２０としては、携帯電話、ＰＨＳ等の情報通信可能な機器が用いられる。契約認証サーバ４０は通信事業者によって管理されている。ライセンス認証サーバ５０はコンテンツ管理事業者によって管理されている。このコンテンツ再生認証システム１では、コンテンツ再生機器１０によるコンテンツの再生時に、移動通信端末２０、契約認証サーバ４０を介してライセンス認証サーバ５０によるコンテンツ再生認証が行われる。以下、各装置について詳細に説明する。
【００１２】
コンテンツ再生機器１０は、コンテンツ格納部１２、コンテンツ再生部１４、ライセンス管理部１６、及び送受信部１８を備える。
【００１３】
コンテンツ格納部１２には、コンテンツが格納される。コンテンツは、コンパクトディスク等の記憶媒体に記憶されて配布され、あるいはインターネットを通じて配信される。コンテンツとしては、音楽、映画、テレビ番組、ゲームソフト等が例示される。このコンテンツは暗号化されており、復号キーによって復号されることによって再生可能となる。図２は、コンテンツ格納部１２に格納された情報の一例を示す図である。図２に示すように、コンテンツ格納部１２には、コンテンツが、コンテンツＩＤ及びメタデータに対応づけられて格納されている。このメタデータには、コンテンツの配給会社及びコンテンツ名が含まれている。
【００１４】
コンテンツ再生部１４は、ユーザの操作によって指定されたコンテンツのコンテンツＩＤ（コンテンツ識別情報）をコンテンツ格納部１２から読み出し、そのコンテンツＩＤをライセンス管理部１６に出力して、待機状態に入る。また、後述するようにライセンス認証サーバ５０によってライセンスが認証された場合、ライセンス認証サーバ５０から送信されるライセンス認証信号、復号キー及びコンテンツＩＤをライセンス管理部１６から受ける。そして、コンテンツ格納部１２からコンテンツを読み出し、復号キーによってコンテンツを復号した上で、コンテンツを再生する。
【００１５】
コンテンツ再生部１４は、ライセンス認証サーバ５０によって発信されたライセンスが認証されなかった旨の信号（以下、「ライセンス不認証信号」という）あるいは契約認証サーバによって契約がなかった旨の信号（以下、「無契約信号」という）をコンテンツＩＤと共にライセンス管理部１６から受けると、コンテンツを再生することはできないと認識し、再生準備を解除して待機状態となる。
【００１６】
ライセンス管理部１６は、コンテンツ再生部１４によって出力されたコンテンツＩＤを受けると、ライセンスを受けていることの認証を要求する信号（以下、「ライセンス認証要求信号」という）とコンテンツ再生機器１０、すなわち自装置を特定するためのコンテンツ再生機器ＩＤとコンテンツＩＤとを送受信部１８に出力する。
【００１７】
また、ライセンス管理部１６は、ライセンス認証サーバ５０によって発信されたライセンス認証信号、復号キー、コンテンツＩＤ、コンテンツ再生機器ＩＤを送受信部１８から受ける。ライセンス管理部１６は、そのコンテンツ再生機器ＩＤが自己のコンテンツ再生機器ＩＤと一致することを確認した場合に、ライセンス認証信号、コンテンツＩＤ、復号キーをコンテンツ再生部１４に出力する。
【００１８】
また、ライセンス管理部１６は、ライセンス認証サーバ５０によって発信されたライセンス不認証信号、あるいは契約認証サーバ４０によって発信された無契約信号をコンテンツＩＤとコンテンツ再生機器ＩＤと共に送受信部１８から受ける。ライセンス管理部１６は、そのコンテンツ再生機器ＩＤが自己のコンテンツ再生機器ＩＤと一致することを確認した場合に、ライセンス不認証信号または無契約信号とコンテンツＩＤをコンテンツ再生部１４に出力する。
【００１９】
コンテンツ再生機器１０の送受信部１８は、ライセンス管理部１６から出力されるコンテンツＩＤ、ライセンス認証要求信号、コンテンツ再生機器ＩＤを無線信号に変換し、移動通信端末２０へ送信する。また、契約認証サーバ４０から送信されるライセンス認証信号、ライセンス不認証信号、無契約信号、復号キー、コンテンツＩＤ、コンテンツ再生機器ＩＤを受信すると、ライセンス管理部１６に出力する。
【００２０】
移動通信端末２０は送受信部２２を備える。送受信部２２は、コンテンツ再生機器１０の送受信部１２によって送信されたライセンス認証要求信号、コンテンツＩＤ、コンテンツ再生機器ＩＤを受信する。そして送受信部２２は、コンテンツ再生機器ＩＤを保持し、ライセンス認証要求信号、コンテンツＩＤ、及び移動通信端末２０を特定する電話番号（端末識別情報）を、契約認証サーバ４０へ送信する。また、送受信部２２は、契約認証サーバ４０からライセンス認証信号、ライセンス不認証信号、無契約信号、復号キー、コンテンツＩＤを受信すると、これらの信号をコンテンツ再生機器ＩＤと共に、コンテンツ再生機器ＩＤによって特定されるコンテンツ再生機器１０へ送信する。
【００２１】
契約認証サーバ４０は、送受信部（受信手段、送信手段、中継手段）４２、契約認証部（契約認証手段）４４、及び顧客契約ＤＢ（契約情報格納手段）４６を備えている。
【００２２】
送受信部（受信手段）４２は、移動情報端末１０によって送信されたライセンス認証要求信号、電話番号、コンテンツＩＤを受信すると、これらの信号を契約認証部４４に出力する。また、送受信部（送信手段）４２は、契約認証部４４から、ライセンス認証要求信号、コンテンツＩＤ、ユーザＩＤを受けると、これらの信号を、ネットワーク３０を介してライセンス認証サーバ５０へ送信する。送受信部（送信手段）４２は、契約認証部４４によって出力された無契約信号、コンテンツＩＤ、ユーザＩＤを受けた場合には、これらの信号を、ネットワーク３０を介して移動通信端末２０へ送信する。さらに、送受信部（中継手段）４２は、ライセンス認証サーバ５０によって送信されたライセンス認証信号又はライセンス不認証信号、ユーザＩＤ、コンテンツＩＤ、復号キーを受信すると、後述するように顧客契約ＤＢを参照してユーザＩＤに対応づけらた電話番号を抽出し、その電話番号によって特定される移動通信携帯２０へ、ライセンス認証信号又はライセンス不認証信号、コンテンツＩＤ、復号キーを送信する。
【００２３】
顧客契約ＤＢ４５には、ユーザごとに、移動通信端末２０の電話番号と、ユーザＩＤと、そのユーザがコンテンツを再生する契約を行っているかどうかの情報とが格納されている。図３は、その契約認証サーバ４０の顧客契約ＤＢ４４に格納されている情報の一例を示している。この顧客契約ＤＢ４６のデータは、ユーザとコンテンツ管理事業者との間で締結された契約に基づいている。ここで、再生契約情報が「有」の場合は、ユーザがコンテンツを再生する契約を行っていることを意味し、再生契約情報が「無」の場合はそのような契約をしていないことを意味する。
【００２４】
このユーザＩＤは、契約認証サーバ４０を管理する通信事業者とライセンス認証サーバ５０を管理するコンテンツ管理事業者との間で、ユーザを特定するために設定されたＩＤである。このユーザＩＤは、第三者によって、契約認証サーバ４０とライセンス認証サーバ５０との間の通信路において、ハッキングされてもよいように設定された情報である。
【００２５】
契約認証部４４は、送受信部４２によって出力されたライセンス認証要求信号、コンテンツＩＤ、及び電話番号を受け取る。そして契約認証部４４は、その電話番号に対応付けられた再生契約情報を顧客契約ＤＢ４６から読み出す。ここで、契約認証部４４は、読み出した再生契約情報から契約が無いと判断した場合には、無契約信号とコンテンツＩＤとを送信部４６に出力する。一方、契約認証部４４は、読み出した再生契約情報から契約が有ると判断した場合には、顧客契約ＤＢ４６を参照にして、移動通信端末２０の電話番号に対応付けられたユーザＩＤを読み出す。さらに、このユーザＩＤをコンテンツＩＤ及びライセンス認証要求信号を送受信部４２に出力する。
【００２６】
ライセンス認証サーバ５０は、送受信部５２、ライセンス認証部５４及びライセンスＤＢ５６を備える。
【００２７】
送受信部５２は、契約認証サーバ４０によって送信されたライセンス認証要求信号、ユーザＩＤ、及びコンテンツＩＤを受信すると、これらの信号をライセンス認証部５４に出力する。また、送受信部５２は、ライセンス認証部５４によって出力されたライセンス認証信号またはライセンス不認証信号、ユーザＩＤ、コンテンツＩＤ復号キーを受けると、これらの信号を契約認証サーバ４０へ送信する。
【００２８】
ライセンスＤＢ５６には、ユーザ毎にコンテンツの再生に関するライセンスを受けているかどうかを示すライセンス情報が格納されている。図４は、ライセンスＤＢ５６に格納されている情報の一例を示している。ライセンスＤＢ５６には、図４に示すように、コンテンツＩＤ、ユーザＩＤ及びライセンス情報が対応付けられて格納されている。図４に示すライセンスＤＢ５６のライセンス情報が「有」の場合は、ユーザＩＤによって特定されるユーザが、コンテンツＩＤによって特定されるコンテンツを再生するライセンスを受けていることを意味する。ライセンス情報が「失効」の場合は、ユーザＩＤによって特定されるユーザがコンテンツＩＤにより特定されるコンテンツを再生するライセンスは失効していること意味する。ライセンス情報が「無」は、ユーザＩＤによって特定されるユーザは、コンテンツＩＤにより特定されるコンテンツを再生するライセンスは受けていないことを意味する。このライセンスＤＢ５６は、ユーザとコンテンツ管理事業者との間で締結された契約に基づいている。
【００２９】
復号キーＤＢ５８には、コンテンツＩＤに対応付けられて、コンテンツＩＤによって特定されるコンテンツを復号するための復号キーが格納されている。図５は、復号キーＤＢ５８に格納されている情報の一例を示す図である。このように、コンテンツ毎に異なる復号キーが、コンテンツＩＤに対応づけられて復号キーＤＢ５８に格納されている。
【００３０】
ライセンス認証部５４は、送受信部５２によって出力されたライセンス認証要求信号、ユーザＩＤ、及びコンテンツＩＤを受信すると、ライセンスＤＢ５６を参照して、ユーザＩＤとコンテンツＩＤとからライセンス情報を読み出す。ライセンス認証部５４は、読み出したライセンス情報からライセンスが有ると判断した場合、復号キーＤＢ５８を参照し、コンテンツＩＤに対応付けられた復号キーを読み出す。そして、ライセンス認証部５４は、ユーザがコンテンツＩＤによって特定されるコンテンツを再生するライセンスを受けていることを示すライセンス認証信号と、復号キーと、ユーザＩＤと、コンテンツＩＤとを送受信部５２に出力する。
【００３１】
一方、ライセンス認証部５４は、読み出したライセンス情報からライセンスが無し又は失効していると判断した場合に、コンテンツを再生するライセンスがないことを示すライセンス不認証信号と、ユーザＩＤと、コンテンツＩＤとを、送受信部５２に出力する。
【００３２】
次に、図５を参照して、このコンテンツ再生認証システムにおける動作を説明し、あわせて本実施形態に係るコンテンツ再生認証方法を説明する。
【００３３】
まず、ユーザが特定のコンテンツを再生するため、コンテンツ再生機器１０に所定の操作を行う（Ｓ１０１）と、コンテンツ再生部１４は、コンテンツ格納部１２からコンテンツＩＤ（図２参照）を読み取る（Ｓ１０２）。そしてコンテンツ再生部１４は、このコンテンツＩＤをライセンス管理部１６へ出力する。すると、ライセンス管理部１６は、上述のライセンス認証要求信号と、コンテンツＩＤと、コンテンツ再生機器ＩＤとを送受信部１８に出力する。送受信部１８は、これらライセンス認証要求信号、コンテンツＩＤ、及びコンテンツ再生機器ＩＤとを移動通信端末２０へ送信する（Ｓ１０３）。
【００３４】
移動通信端末２０の送受信部２２は、コンテンツ再生機器１０によって送信されたライセンス認証要求信号、コンテンツＩＤ及びコンテンツ再生機器ＩＤを受信する。そして、送受信部２２は、ライセンス認証要求信号と、コンテンツＩＤと、移動通信端末２０を特定する電話番号（端末識別情報）とを契約認証サーバ４０へ送信する（Ｓ１０４）。
【００３５】
契約認証サーバ４０の送受信部４２は、移動通信端末２０によって送信されたライセンス認証要求信号、コンテンツＩＤ、及び電話番号を受信すると、これらの信号を契約認証部４４に出力する。契約認証部４４は、顧客契約ＤＢ４６（図３参照）を参照し（Ｓ１０５）、上記の電話番号に対応付けられた再生契約情報を読み出す（Ｓ１０６）。契約認証部４４は、読み出した再生契約情報から契約が無いと判断した場合（Ｎｏ）（図３参照）、無契約信号と、コンテンツＩＤとを送受信部４２に出力する。送受信部４２は、契約認証部４４によって出力された無契約信号及びコンテンツＩＤを、ネットワーク３０を介して移動通信端末２０へ送信する（Ｓ１０７）。
【００３６】
移動通信端末２０の送受信部２２は、契約認証サーバ４０によって送信された無契約信号及びコンテンツＩＤを受信すると、これらの信号をコンテンツ再生機器ＩＤと共に、コンテンツ再生機器ＩＤによって特定されるコンテンツ再生機器へ送信する（Ｓ１０８）。コンテンツ再生機器１０の送受信部１８は、無契約信号、コンテンツＩＤ、コンテンツ再生機器ＩＤを受信すると、ライセンス管理部１６に出力する。ライセンス管理部１６は、受信したコンテンツ再生機器ＩＤが自己のコンテンツ再生機器ＩＤと一致すると判定すると、無契約信号及びコンテンツＩＤをコンテンツ再生部１４へ出力する。コンテンツ再生部１４は、ライセンス管理部１６によって出力された無契約信号及びコンテンツＩＤを受け取ると、コンテンツＩＤによって特定されるコンテンツを再生する準備状態を解除する（Ｓ１０９）。
【００３７】
一方、ステップ１０６において、契約認証部４４が顧客契約ＤＢ４６を参照することにより読み出した再生契約情報から契約が有ると判断した場合（Ｙｅｓ）、契約認証部４４は、顧客契約ＤＢ４６を参照し、上記の電話番号に対応づけられたユーザＩＤを読み出す（Ｓ１１０）。そして、契約認証部４４は、ライセンス認証要求信号、ユーザＩＤ、及びコンテンツＩＤを送受信部４２に出力する。送受信部４２は、これらライセンス認証要求信号、ユーザＩＤ、及びコンテンツＩＤを、ネットワーク３０を介してライセンス認証サーバ５０へ送信する（Ｓ１１１）。
【００３８】
ライセンス認証サーバ５０の送受信部５２は、契約認証サーバ４０によって送信されたライセンス認証要求信号、ユーザＩＤ、コンテンツＩＤを受信すると、これらの信号をライセンス認証部５４に出力する。ライセンス認証部５４は、送受信部５２によって出力されたライセンス認証要求信号、ユーザＩＤ、コンテンツＩＤを受けると、ライセンスＤＢ５６（図４参照）を参照し（Ｓ１１２）、上記のユーザＩＤとコンテンツＩＤとに対応付けられているライセンス情報を読み出す（Ｓ１１３）。ライセンス認証部５４は、読み出したライセンス情報からライセンスが無い又は失効していると判断した場合（Ｎｏ）（図４参照）、ライセンス不認証信号と、ユーザＩＤと、コンテンツＩＤとを送受信部５２に出力する。送受信部５２は、ライセンス認証部５４によって出力されたライセンス不認証信号、ユーザＩＤ、及びコンテンツＩＤを、ネットワーク３０を介して契約認証サーバ４０へ送信する（Ｓ１１４）。
【００３９】
契約認証サーバ４０の送受信部４２は、ライセンス認証サーバ５０によって送信されたライセンス不認証信号、ユーザＩＤ、及びコンテンツＩＤを受信すると、顧客契約ＤＢ４６を参照し、ユーザＩＤに対応付けられた電話番号を読み出す。そして、送受信部４２は、読み出した電話番号から特定される移動通信端末２０へ、ライセンス不認証信号及びコンテンツＩＤを、ネットワーク３０を介して送信する（Ｓ１１５）。
【００４０】
移動通信端末２０の送受信部２２は、契約認証サーバ４０によって送信されたライセンス不認証信号及びコンテンツＩＤを受信すると、上述のコンテンツ再生機器ＩＤによって特定されるコンテンツ再生機器１０へ、ライセンス不認証信号、コンテンツＩＤ、及びコンテンツ再生機器ＩＤを送信する（Ｓ１１６）。
【００４１】
コンテンツ再生機器１０の送受信部１８は、移動通信端末２０によって送信されたライセンス不認証信号、コンテンツＩＤ及びコンテンツ再生機器ＩＤを受信すると、これらの信号をライセンス管理部１６に出力する。ライセンス管理部１６は、送受信部１８によって出力されたライセンス不認証信号、コンテンツＩＤ及びコンテンツ再生機器ＩＤを受ける。ライセンス管理部１６は、そのコンテンツ再生機器ＩＤが自己のコンテンツ再生機器ＩＤと一致することを確認した場合、ライセンス不認証信号、コンテンツＩＤをコンテンツ再生部１４に出力する。コンテンツ再生部１４は、ライセンス管理部１６によって出力されたライセンス不認証信号及びコンテンツＩＤを受けると、コンテンツＩＤから特定されるコンテンツの再生準備を解除する（Ｓ１１７）。
【００４２】
一方、ステップＳ１１３において、ライセンス認証部５４が、ライセンスＤＢ５６から読み出したライセンス情報からライセンスが有ると判断すると（Ｙｅｓ）、復号キーＤＢ５８を参照し、コンテンツＩＤに対応付けられる復号キーを読み出す。そして、ライセンス認証部５４は、ライセンスの認証を意味するライセンス認証信号と、読み出した復号キーと、ユーザＩＤと、コンテンツＩＤとを送受信部５２に出力する。送受信部５２は、ライセンス認証部５４によって出力されたライセンス認証信号、復号キー、ユーザＩＤ、及びコンテンツＩＤを、ネットワーク３０を介して、契約認証サーバ４０へ送信する（Ｓ１１８）。
【００４３】
契約認証サーバ４０の送受信部４２は、ライセンス認証サーバ５０によって送信されたライセンス認証信号、復号キー、ユーザＩＤ、及びコンテンツＩＤを受信すると、顧客契約ＤＢ４６を参照し、ユーザＩＤから電話番号を読み出す。そして、送受信部４２は、読み出した電話番号によって特定される通信端末２０へ、ライセンス認証信号、復号キー及びコンテンツＩＤを、ネットワーク３０を介して送信する（Ｓ１１９）。
【００４４】
移動通信端末２０の送受信部２２は、契約認証サーバ４０によって送信されたライセンス認証信号、復号キー、及びコンテンツＩＤを受信すると、コンテンツ再生機器ＩＤによって特定されるコンテンツ再生機器１０へ、ライセンス認証信号、復号キー、コンテンツＩＤ、及び上述のコンテンツ再生機器ＩＤを送信する（Ｓ１２０）。
【００４５】
コンテンツ再生機器１０の送受信部１２は、移動通信端末２０によって送信されたライセンス認証信号、復号キー、コンテンツＩＤ、コンテンツ再生機器ＩＤを受信して、ライセンス管理部１６に出力する。ライセンス管理部１６は、送受信部１２によって出力されたコンテンツ再生機器ＩＤが自己のコンテンツ再生機器ＩＤと一致すると判定すると、ライセンス認証信号、コンテンツＩＤ及び復号キーをコンテンツ再生部１４に出力する。コンテンツ再生部１６は、ライセンス管理部１６によって出力されたライセンス認証信号、コンテンツＩＤ及び復号キーを受け、コンテンツＩＤによって特定される暗号化されたコンテンツをコンテンツ格納部１２から読み出す。さらにコンテンツ再生部１６は、復号キーを用いて、読み出したコンテンツの復号処理を行った上で（Ｓ１２１）、復号されたコンテンツの再生を行う（Ｓ１２２）。
【００４６】
次に本実施形態にかかるコンテンツ再生認証システム１の作用及び効果を説明する。契約認証サーバ４０からライセンス認証サーバ５０へライセンス認証要求信号が送信される際、これと共に電話番号から変換されたユーザＩＤが送信され、電話番号は送信されない。したがって、契約認証サーバ４０とライセンス認証サーバ５０との間の通信路で電話番号がハッキングされることがないので、電話番号（端末識別情報）に関してセキュリティが向上される。
【００４７】
【発明の効果】
本発明によれば、契約認証サーバとライセンス認証サーバとの間の通信路において、コンテンツ再生に関するライセンスを認証する際、移動通信端末を特定するための端末識別情報は送受信されず、代わりにユーザＩＤが送受信される。したがって、端末識別情報がハッキングされることがなく、端末識別情報に関してセキュリティが向上された契約認証サーバ、コンテンツ再生認証方法が提供される。
【図面の簡単な説明】
【図１】実施形態におけるコンテンツ再生認証システムの構成を示す概略図である。
【図２】実施形態におけるコンテンツ再生機器のコンテンツ格納部に格納されている情報の一例を示す図である。
【図３】実施形態における契約認証サーバの顧客契約ＤＢに格納されている情報の一例を示す図である。
【図４】実施形態におけるライセンス認証サーバのライセンスＤＢに格納されている情報の一例を示す図である。
【図５】実施形態におけるライセンス認証サーバの復号キーＤＢに格納されている情報の一例を示す図である。
【図６】実施形態におけるシステムの処理のシーケンスを示す図である。
【符号の説明】
１０…コンテンツ再生機器、２０…移動通信端末、３０…ネットワーク、４０…契約認証サーバ、４２…送受信部、４４…契約認証部、４６…顧客契約ＤＢ、５０…ライセンス認証サーバ。
【図１】
2005039429.tif 000003
【図２】
2005039429.tif 000004
【図３】
2005039429.tif 000005
【図４】
2005039429.tif 000006
【図５】
2005039429.tif 000007
【図６】
2005039429.tif 000008